(57)【要約】      （修正有）【課題】  ネットワーク印刷システムにおいて、自分の２件の出力印刷物間に印刷された他人の印刷物を誤って回収することを防止する。【解決手段】  印刷装置と、前記印刷装置を共有する複数の印刷制御装置とを備えた印刷システムにおいて、前記印刷装置は、印刷制御装置からの印刷ジョブの受け付け状況に関するステータス情報の管理手段を備え、前記印刷制御装置は、印刷装置から前記ステータス情報を取得する手段を備え、印刷装置に第１の印刷ジョブを依頼した場合に、印刷終了後所定の期間内はステータス情報の取得を継続し、前記所定の期間内に第２の印刷ジョブを依頼した場合に、第１と第２の印刷ジョブとの間に、前記印刷装置が他の印刷制御装置からの印刷ジョブを受け付けたかどうかを前記ステータス情報に基づき判断し、受け付けている場合は、他の印刷制御装置からの印刷物を挟み込んでいる旨の警告情報を出力することを特徴とする印刷システム。【選択図】  図２
2006126908.tif 000002
【特許請求の範囲】
【請求項１】
印刷装置と、前記印刷装置を共有する複数の印刷制御装置とを備えた印刷システムにおいて、
前記印刷装置は、
印刷制御装置からの印刷ジョブの受け付け状況に関する情報を含むステータス情報を管理するステータス管理手段を備え、
前記印刷制御装置は、
前記印刷装置に印刷ジョブを依頼する際に、前記印刷装置から前記ステータス情報を取得するステータス監視手段を備え、
前記ステータス監視手段は、
前記印刷装置に第１の印刷ジョブを依頼した場合に、印刷終了後所定の期間内は前記ステータス情報の取得を継続し、
前記所定の期間内に第２の印刷ジョブを前記印刷装置に依頼した場合に、第１の印刷ジョブと第２の印刷ジョブとの間に、前記印刷装置が他の印刷制御装置からの印刷ジョブを受け付けているかどうかを前記ステータス情報に基づいて判断し、
他の印刷制御装置からの印刷ジョブを受け付けていると判断した場合には、他の印刷制御装置からの印刷ジョブに基づく印刷物を挟み込んでいる旨の警告情報を出力することを特徴とする印刷システム。
【請求項２】
複数の印刷制御装置で共有可能な印刷装置に接続する印刷制御装置であって、
前記印刷装置に印刷ジョブを依頼する際に、前記印刷装置から印刷ジョブの受け付け状況に関する情報を含むステータス情報を取得するステータス監視手段を備え、
前記ステータス監視手段は、
前記印刷装置に第１の印刷ジョブを依頼した場合に、印刷終了後所定の期間内は前記ステータス情報の取得を継続し、
前記所定の期間内に第２の印刷ジョブを前記印刷装置に依頼した場合に、第１の印刷ジョブと第２の印刷ジョブとの間に、前記印刷装置が他の印刷制御装置からの印刷ジョブを受け付けているかどうかを前記ステータス情報に基づいて判断し、
他の印刷制御装置からの印刷ジョブを受け付けていると判断した場合には、他の印刷制御装置からの印刷ジョブに基づく印刷物を挟み込んでいる旨の警告情報を出力することを特徴とする印刷制御装置。
【請求項３】
複数の印刷制御装置で共有可能な印刷装置に接続するコンピュータで実行されるプログラムであって、
前記印刷装置に印刷ジョブを依頼する際に、前記印刷装置から印刷ジョブの受け付け状況に関する情報を含むステータス情報を取得するステータス監視手段として前記コンピュータを機能させ、
前記ステータス監視手段は、
前記印刷装置に第１の印刷ジョブを依頼した場合に、印刷終了後所定の期間内は前記ステータス情報の取得を継続し、
前記所定の期間内に第２の印刷ジョブを前記印刷装置に依頼した場合に、第１の印刷ジョブと第２の印刷ジョブとの間に、前記印刷装置が他の印刷制御装置からの印刷ジョブを受け付けているかどうかを前記ステータス情報に基づいて判断し、
他の印刷制御装置からの印刷ジョブを受け付けていると判断した場合には、他の印刷制御装置からの印刷ジョブに基づく印刷物を挟み込んでいる旨の警告情報を出力することを特徴とするプログラム。
【請求項４】
請求項３に記載のプログラムであって、
前記所定の期間の設定を受け付ける監視設定受け付け手段としてさらにコンピュータを機能させることを特徴とするプログラム。
【請求項５】
請求項３に記載のプログラムであって、
前記ステータス監視手段は、
他の印刷制御装置からの印刷ジョブを受け付けていると判断した場合には、当該他の印刷制御装置を特定するための情報を前記ステータス情報から取得し、前記警告情報に含めて出力することを特徴とするプログラム。
【請求項６】
請求項５に記載のプログラムであって、
当該他の印刷制御装置を特定するための情報を前記ステータス情報から取得すると、
当該他の印刷制御装置に、印刷物が挟み込まれている旨の情報を出力する通知手段としてさらにコンピュータを機能させることを特徴とするプログラム。
【請求項７】
請求項３に記載のプログラムであって、
前記ステータス監視手段は、
他の印刷制御装置からの印刷ジョブを受け付けていると判断した場合には、当該他の印刷制御装置からの印刷ジョブによる印刷枚数を前記印刷装置から取得し、前記警告情報に含めて出力することを特徴とするプログラム。
【請求項８】
請求項３〜７のいずれか一項に記載のプログラムを記録したコンピュータ読み取り可能な記録媒体。
【請求項９】
複数の印刷制御装置で共有可能な印刷装置に接続する印刷制御装置における印刷装置監視方法であって、
前記印刷装置に第１の印刷ジョブを依頼した場合に、印刷終了後所定の期間内は印刷ジョブの受け付け状況に関する情報を含むステータス情報を前記印刷装置から取得し、
前記所定の期間内に第２の印刷ジョブを前記印刷装置に依頼した場合に、第１の印刷ジョブと第２の印刷ジョブとの間に、前記印刷装置が他の印刷制御装置からの印刷ジョブを受け付けているかどうかを前記ステータス情報に基づいて判断し、
他の印刷制御装置からの印刷ジョブを受け付けていると判断した場合には、他の印刷制御装置からの印刷ジョブに基づく印刷物を挟み込んでいる旨の警告情報を出力することを特徴とする印刷装置監視方法。
【発明の詳細な説明】
【技術分野】
【０００１】
本発明は、印刷システムに係り、特に、１台のプリンタを複数台のコンピュータで共有するネットワーク印刷システムに関する。
【背景技術】
【０００２】
１台のプリンタを複数台のコンピュータで共有するネットワーク印刷システムでは、プリンタは、それぞれのコンピュータから依頼される印刷ジョブ単位で印刷処理を管理している。
【発明の開示】
【発明が解決しようとする課題】
【０００３】
プリンタは、複数台のコンピュータからの印刷ジョブを受け付けるため、あるコンピュータから複数の印刷ジョブをプリンタに送った場合、印刷ジョブと印刷ジョブとの間に、他のコンピュータからの印刷ジョブが挟まれる場合がある。
【０００４】
印刷処理は、原則として、印刷ジョブを受け付けた順に行なわれるため、このような場合には、あるユーザの複数の印刷物の間に、他人の印刷物が挟み込まれた状態となり、そのユーザが気が付かずに他人の印刷物を一緒に持ち去ってしまうことが多々ある。
【０００５】
本発明は、ネットワーク印刷システムにおいて、間に挟み込まれた他人の印刷物を誤って回収することを防止することを目的とする。
【課題を解決するための手段】
【０００６】
上記課題を解決するため本発明の第１の態様である印刷システムは、
印刷装置と、前記印刷装置を共有する複数の印刷制御装置とを備えた印刷システムにおいて、
前記印刷装置は、
印刷制御装置からの印刷ジョブの受け付け状況に関する情報を含むステータス情報を管理するステータス管理手段を備え、
前記印刷制御装置は、
前記印刷装置に印刷ジョブを依頼する際に、前記印刷装置から前記ステータス情報を取得するステータス監視手段を備え、
前記ステータス監視手段は、
前記印刷装置に第１の印刷ジョブを依頼した場合に、印刷終了後所定の期間内は前記ステータス情報の取得を継続し、
前記所定の期間内に第２の印刷ジョブを前記印刷装置に依頼した場合に、第１の印刷ジョブと第２の印刷ジョブとの間に、前記印刷装置が他の印刷制御装置からの印刷ジョブを受け付けているかどうかを前記ステータス情報に基づいて判断し、
他の印刷制御装置からの印刷ジョブを受け付けていると判断した場合には、他の印刷制御装置からの印刷ジョブに基づく印刷物を挟み込んでいる旨の警告情報を出力することを特徴とする。
【０００７】
本発明によれば、他の印刷制御装置からの印刷物を挟み込んで印刷した場合に警告情報が出力されるため、間に挟み込まれた他人の印刷物を誤って回収することを防止することができる。
【０００８】
上記課題を解決するため本発明の第２の態様である印刷制御装置は、
複数の印刷制御装置で共有可能な印刷装置に接続する印刷制御装置であって、
前記印刷装置に印刷ジョブを依頼する際に、前記印刷装置から印刷ジョブの受け付け状況に関する情報を含むステータス情報を取得するステータス監視手段を備え、
前記ステータス監視手段は、
前記印刷装置に第１の印刷ジョブを依頼した場合に、印刷終了後所定の期間内は前記ステータス情報の取得を継続し、
前記所定の期間内に第２の印刷ジョブを前記印刷装置に依頼した場合に、第１の印刷ジョブと第２の印刷ジョブとの間に、前記印刷装置が他の印刷制御装置からの印刷ジョブを受け付けているかどうかを前記ステータス情報に基づいて判断し、
他の印刷制御装置からの印刷ジョブを受け付けていると判断した場合には、他の印刷制御装置からの印刷ジョブに基づく印刷物を挟み込んでいる旨の警告情報を出力することを特徴とする。
【０００９】
上記課題を解決するため本発明の第３の態様であるプログラムは、
複数の印刷制御装置で共有可能な印刷装置に接続するコンピュータで実行されるプログラムであって、
前記印刷装置に印刷ジョブを依頼する際に、前記印刷装置から印刷ジョブの受け付け状況に関する情報を含むステータス情報を取得するステータス監視手段として前記コンピュータを機能させ、
前記ステータス監視手段は、
前記印刷装置に第１の印刷ジョブを依頼した場合に、印刷終了後所定の期間内は前記ステータス情報の取得を継続し、
前記所定の期間内に第２の印刷ジョブを前記印刷装置に依頼した場合に、第１の印刷ジョブと第２の印刷ジョブとの間に、前記印刷装置が他の印刷制御装置からの印刷ジョブを受け付けているかどうかを前記ステータス情報に基づいて判断し、
他の印刷制御装置からの印刷ジョブを受け付けていると判断した場合には、他の印刷制御装置からの印刷ジョブに基づく印刷物を挟み込んでいる旨の警告情報を出力することを特徴とする。
【００１０】
ここで、前記所定の期間の設定を受け付ける監視設定受け付け手段としてさらにコンピュータを機能させることができる。
【００１１】
所定の期間は、前回の印刷ジョブと今回の印刷ジョブとの間隔がある程度長い場合には、他の印刷制御装置からの印刷ジョブが挟まれたとしても、誤って回収する危険性が低いから設けたものであるが、この期間を設定可能とすることで、より本発明の実用性を高めるようにしている。
【００１２】
また、前記ステータス監視手段は、
他の印刷制御装置からの印刷ジョブを受け付けていると判断した場合には、当該他の印刷制御装置を特定するための情報を前記ステータス情報から取得し、前記警告情報に含めて出力することができる。
【００１３】
これにより、間に挟み込まれた他人の印刷物を誤って回収することを防止することができるのに加え、どのユーザの印刷物を挟み込んだかを知ることができる。
【００１４】
また、当該他の印刷制御装置を特定するための情報を前記ステータス情報から取得すると、
当該他の印刷制御装置に、印刷物が挟み込まれている旨の情報を出力する通知手段としてさらにコンピュータを機能させることができる。
【００１５】
これにより、間に挟み込まれた他人の印刷物を誤って回収することを防止することができるのに加え、挟み込まれたユーザが、自分の印刷物が挟み込まれたことを知ることができる。
【００１６】
さらに、前記ステータス監視手段は、
他の印刷制御装置からの印刷ジョブを受け付けていると判断した場合には、当該他の印刷制御装置からの印刷ジョブによる印刷枚数を前記印刷装置から取得し、前記警告情報に含めて出力することができる。
【００１７】
これにより、間に挟み込まれた他人の印刷物を誤って回収することを防止することができるのに加え、他人の印刷物を何枚挟み込んでいるかを知ることができる。
【００１８】
上記課題を解決するため本発明の第３の態様である印刷装置監視方法は、
複数の印刷制御装置で共有可能な印刷装置に接続する印刷制御装置における印刷装置監視方法であって、
前記印刷装置に第１の印刷ジョブを依頼した場合に、印刷終了後所定の期間内は印刷ジョブの受け付け状況に関する情報を含むステータス情報を前記印刷装置から取得し、
前記所定の期間内に第２の印刷ジョブを前記印刷装置に依頼した場合に、第１の印刷ジョブと第２の印刷ジョブとの間に、前記印刷装置が他の印刷制御装置からの印刷ジョブを受け付けているかどうかを前記ステータス情報に基づいて判断し、
他の印刷制御装置からの印刷ジョブを受け付けていると判断した場合には、他の印刷制御装置からの印刷ジョブに基づく印刷物を挟み込んでいる旨の警告情報を出力することを特徴とする。
【発明を実施するための最良の形態】
【００１９】
本発明の実施の形態について図面を参照して説明する。
【００２０】
図１は、本発明を適用したネットワーク印刷システムのハードウェア構成の概要を説明するためのブロック図である。
【００２１】
本図に示すように、ネットワーク印刷システムは、アプリケーションソフトウェアによる各種処理、プリンタドライバによる印刷処理、入出力装置によるユーザインタフェース等を実現するための複数組のコンピュータシステム５０と、プリンタ１０とがコンピュータネットワーク６０により接続されて構成される。また、コンピュータシステム５０は、コンピュータ本体３０と、ディスプレイ等の表示装置２１、マウス、キーボード等の入力装置２２等を含んで構成される。
【００２２】
本実施形態において、コンピュータ３０は、印刷データを生成し、プリンタ１０に送信する印刷制御装置として機能し、プリンタ１０は、受信した印刷データに基づいて印刷を行なう印刷装置として機能する。
【００２３】
コンピュータ３０を印刷制御装置として機能させるためのコンピュータプログラムであるプリンタドライバは、一般にプリンタ１０のメーカによって開発され、ＣＤ−ＲＯＭ等の記録媒体に記録されて頒布されたり、インターネット等のコンピュータネットワークを介して流通される。なお、ネットワーク印刷システムの構成はこれに限られない。
【００２４】
コンピュータ３０は、例えば、パーソナルコンピュータ等の汎用的な情報処理装置を用いることができ、各種プログラムを実行するＣＰＵ（Central Processing Unit）、データおよびプログラム等を一時的に記憶するＲＡＭ（Random Access Memory）、コンピュータ３０を制御するための各種データ、各種プログラム等があらかじめ不揮発的に記憶されているＲＯＭ（Read Only Memory）等から構成される制御部３１０、表示装置２１・入力装置２２等と接続するための入出力インタフェース３２０、コンピュータネットワーク６０に接続するためのネットワークインタフェース３３０、ＣＤ−ＲＯＭ等の記録媒体にアクセスするためのメディアドライブ装置３４０およびハードディスク等の補助記憶装置３５０を備えて構成される。もちろん、コンピュータ３０の構成はこれに限られない。
【００２５】
プリンタ１０は、ネットワークプリンタであり、例えば、レーザ方式の印字機構を備えたページプリンタとすることができる。レーザ方式のページプリンタは、筐体内にトナーを収容したトナーカートリッジを備え、このトナーを印刷用紙等の印刷媒体に転写することで印刷を行なう。なお、プリンタ１０は、カラーレーザプリンタ、モノクロレーザプリンタのいずれであってもよい。また、レーザ方式に替え、例えば、インクジェット方式のプリンタを用いてもよい。
【００２６】
プリンタ１０は、ＣＰＵ・ＲＡＭ・ＲＯＭ等から構成されプリンタ１０における各種処理を制御する制御部１１０、コンピュータネットワーク６０に接続するためのネットワークインタフェース１２０、トナーカートリッジ・感光体ドラム・レーザ光照射機構等の印字機構、給排紙機構等を含む印刷機構１３０を備えて構成される。もちろん、プリンタ１０の構成はこれに限られない。
【００２７】
図２は、本発明を適用した印刷システムの機能構成を示すブロック図である。本図では、１台のコンピュータ３０およびプリンタ１０の機能構成を示している。
【００２８】
本図に示すようにコンピュータ３０は、アプリケーション部３１と、オペレーティングシステム（ＯＳ）部３４と、プリンタドライバ部４１とを有している。
【００２９】
アプリケーション部３１は、ワードプロセッサ、グラフィックス等の処理をコンピュータ３０に行なわせるための機能を有しており、アプリケーションプログラムを、コンピュータ３０の制御部３１０が実行することによりコンピュータ３０上に構築される。アプリケーション部３１は、この実施形態の印刷対象であるドキュメント３３を処理している。
【００３０】
オペレーティングシステム部３４は、プリンタドライバ部４１の動作を管理する印刷制御部３５と、プリンタ１０との間でデータの送受信を行うＩ／Ｏ部３６とを有している。
【００３１】
プリンタドライバ部４１は、ドキュメント３３に関する描画コマンドをスプールファイル４３に記憶させるスプーラ４２と、スプールファイル４３に記憶されたＯＳ部３４が定義する形式で表現されれた描画コマンドに基づいて、プリンタ１０が解釈できる形式の印刷データを作成する印刷データ作成部４４と、表示装置２１、入力装置２２を制御するユーザインタフェース（ＵＩ）制御部４６と、このユーザインタフェース制御部４６から送られてくる印刷条件を管理する印刷条件管理部４５と、プリンタ１０のステータスを監視するステータスモニタ部４７とを有している。
【００３２】
ステータスモニタ部４７は、プリンタ１０と通信を行ない、プリンタ１０のステータスに関する情報を取得する。ステータスモニタ部４７が取得するプリンタ１０のステータスに関する情報には、印刷ジョブ受け付け可否等の状態、エラー発生状況、印刷ジョブ受け付け状況等が含まれる。
【００３３】
ここで、印刷ジョブ受け付け状況には、処理中および処理待ち印刷ジョブの有無、印刷ジョブを依頼したコンピュータ３０の識別子（例えば、ホスト名）、処理中印刷ジョブの状態等が含まれる。
【００３４】
プリンタドライバ部４１は、プリンタ１０のメーカ等が開発したプリンタドライバプログラムを、コンピュータ３０の制御部３１０が実行することによりコンピュータ３０上に構築される。プリンタドライバプログラムは、ＣＤ−ＲＯＭ等の記録媒体に記録することで市場に流通させることができる。また、インターネット等のコンピュータネットワークを介して市場に流通させることもできる。
【００３５】
図２において、プリンタ１０は、コンピュータ３０との間でデータの送受信を行うＩ／Ｏ部１１と印刷実行部１２とステータス管理部１３とを有している。
【００３６】
印刷実行部１２は、コンピュータ３０から送られた印刷データに基づく印刷を実行する機能を有している。
【００３７】
ステータス管理部１３は、プリンタ１０のステータスに関する情報を管理する。上述のように、プリンタ１０のステータス情報には、印刷ジョブ受け付け可否等の状態、エラー発生状況、印刷ジョブ受け付け状況等が含まれる。
【００３８】
つぎに、上記構成による本発明の実施例について図３のフロー図を参照して説明する。本実施例における処理は、主としてプリンタ１０のプリンタドライバ部４１により制御される。
【００３９】
プリンタドライバ部４１は、印刷実行に際し、ユーザから印刷条件の設定を受け付けることができる（Ｓ１００）。印刷条件の設定は、例えば、ユーザインタフェース制御部４６が表示装置２１に表示した印刷設定画面を介して受け付けることができる。
【００４０】
図４は、印刷設定画面５００の一例を示す図である。本図の例では、給紙方法、印刷部数等の設定を受け付けるための領域に加え、挟み込みチェックに関する設定を受け付ける領域５０１が設けられている。
【００４１】
挟み込みチェックに関する設定を受け付ける領域５０１には、挟み込みチェックを行なうかどうかを指示するチェックボックスと、挟み込みチェックを行なう場合の監視時間を指定する欄とが含まれている。ユーザから受け付けた挟み込みチェックに関する設定は、印刷条件管理部４５が記憶する。
【００４２】
プリンタドライバ部４１は、印刷を開始すると（Ｓ１０１）、挟み込みチェック行なう指示を受け付けたかどうかを判断する（Ｓ１０２）。
【００４３】
その結果、挟み込みチェックを行なう指示を受け付けていない場合（Ｓ１０２：Ｎ）には、従来の印刷処理、すなわち、ステータスモニタ部４７が、プリンタ１０のステータスを取得して、プリンタ１０が印刷ジョブの受け付けが可能な状態がどうかを判断する。そして、印刷ジョブが受け付け可能であれば、プリンタ１０の状態を監視しながら印刷データの送信を開始する。そして、プリンタ１０での印刷が終了すると、プリンタ１０の監視を終了する。
【００４４】
一方、挟み込みチェックを行なう指示を受け付けている場合（Ｓ１０２：Ｙ）には、まず、従来の印刷処理と同様に、プリンタ１０のステータスを取得して、プリンタ１０が印刷ジョブの受け付けが可能な状態であれば、プリンタ１０の状態を監視しながら印刷データの送信を開始する。
【００４５】
そして、プリンタ１０での印刷が終了しても、ステータスモニタ部４７は、プリンタ１０の監視を継続する（Ｓ１０４）。プリンタ１０の監視の継続は、定期的、例えば、２０秒、３０秒毎、あるいは不定期にプリンタ１０のステータスを取得することで行なう。この監視により、ステータスモニタ部４７は、プリンタ１０が他のコンピュータ３０からの印刷ジョブを受け付けたかどうかを判別する。
【００４６】
また、プリンタドライバ部４１は、挟み込みチェックに関する設定を受け付ける領域５０１で設定された監視時間内に、自プリンタドライバ部４１が、再度、印刷ジョブを行なったかどうかを判断する（Ｓ１０５）。なお、この判断は、監視時間内に印刷ジョブが開始された場合、監視時間内に印刷ジョブが終了した場合のいずれを基準としてもよい。
【００４７】
ここで、監視時間内に限ったのは、前回の印刷ジョブと今回の印刷ジョブとの間隔がある程度長い場合には、他人の印刷ジョブが挟まれたとしても、誤って回収する危険性が低いからである。なお、本実施例では、監視時間はユーザが任意に設定できるようにしているが、あらかじめ定められた時間を固定的に用いるようにしてもよい。
【００４８】
処理（Ｓ１０５）で、自プリンタドライバ部４１が、監視時間内に再度印刷ジョブを行なったかどうかを判断した結果、印刷ジョブが行なわれなかった場合（Ｓ１０５：Ｎ）には、印刷物の挟み込みは発生しないものとして、ステータスモニタ部４７は、プリンタ１０の監視を終了する（Ｓ１０６）。
【００４９】
一方、自プリンタドライバ部４１が監視時間内に再度印刷ジョブを行なった場合（Ｓ１０５：Ｙ）には、プリンタ１０の監視結果に基づいて、その自印刷ジョブと前回の印刷ジョブとの間に、他のコンピュータ３０からの印刷ジョブがプリンタ１０で行なわれているかどうかを判断する（Ｓ１０７）。
【００５０】
その結果、他のコンピュータ３０からの印刷ジョブが行なわれている場合（Ｓ１０７：Ｙ）には、前回の印刷ジョブの印刷物と今回の印刷ジョブの印刷物との間に、他人の印刷ジョブに係る印刷物が挟み込まれていることになるため、今回の印刷ジョブの印刷終了後に、ユーザに挟み込みを警告する通知を行なう（Ｓ１０８）。
【００５１】
図５は、挟み込みを警告する通知を行なう画面５２０の一例を示す図である。本図において、挟み込みを警告する通知を行なう画面５２０には、印刷を終了した旨の通知に加え、前回の印刷ジョブの印刷物と今回の印刷ジョブの印刷物との間に他ユーザのジョブが印刷されているため、印刷物の回収時に注意する旨の警告が表示される。
【００５２】
一方、他のコンピュータ３０からの印刷ジョブが行なわれていない場合（Ｓ１０７：Ｎ）には、印刷物の挟み込みはないものとして、印刷終了後には、図６に一例を示すような通常の印刷終了通知画面５４０を表示する。
【００５３】
このように、本実施例によれば、他人の印刷物を挟み込んで印刷した場合に警告が通知されるため、間に挟み込まれた他人の印刷物を誤って回収することを防止することができる。
【００５４】
つぎに、上記実施例の第１の変形例について説明する。図７は、第１の変形例の上記実施例との相違点を示すフロー図である。
【００５５】
本図に示すように、第１の変形例では、自印刷ジョブの間に、他のコンピュータ３０からの印刷ジョブが行なわれている場合（Ｓ１０７：Ｙ）、すなわち、他人の印刷ジョブに係る印刷物が挟み込まれている場合には、プリンタ１０から取得したステータスから、他の印刷ジョブを行なったコンピュータ３０の識別情報、例えば、ホスト名を抽出する（Ｓ１２１）。
【００５６】
そして、印刷終了後の挟み込み警告メッセージの表示（Ｓ１０８）では、図８に示すように、挟み込みの対象となった印刷ジョブを行なったホスト名を、挟み込みを警告する通知を行なう画面５６０に含めるようにしている。
【００５７】
このように、第１の本変形例によれば、間に挟み込まれた他人の印刷物を誤って回収することを防止することができるのに加え、どのユーザの印刷物を挟み込んだかを知ることができる。
【００５８】
つぎに、上記実施例の第２の変形例について説明する。図９は、第２の変形例の上記実施例との相違点を示すフロー図である。
【００５９】
本図に示すように、第２の変形例では、第１の変形例と同様に、自印刷ジョブの間に、他のコンピュータ３０からの印刷ジョブが行なわれている場合（Ｓ１０７：Ｙ）、すなわち、他人の印刷ジョブに係る印刷物が挟み込まれている場合には、プリンタ１０から取得したステータスから、他の印刷ジョブを行なったコンピュータ３０の識別情報、例えば、ホスト名を抽出する（Ｓ１２１）。
【００６０】
そして、印刷終了後の挟み込み警告メッセージの表示（Ｓ１０８）を行なうとともに、挟み込みの対象となったコンピュータ３０のプリンタドライバ部４１に対して、印刷物が挟み込まれていることを通知する（Ｓ１２２）。
【００６１】
すると、通知を受けたコンピュータ３０のプリンタドライバ部４１は、図１０に一例を示すような、印刷ジョブが他のユーザの印刷ジョブに挟まれているため、印刷物の回収時に注意する旨の警告する画面５８０を表示装置２１に表示するようにする。
【００６２】
このように、第２の変形例によれば、間に挟み込まれた他人の印刷物を誤って回収することを防止することができるのに加え、挟み込まれたユーザが、自分の印刷物が挟み込まれたことを知ることができる。
【００６３】
つぎに、上記実施例の第３の変形例について説明する。図１１は、第３の変形例の上記実施例との相違点を示すフロー図である。
【００６４】
本図に示すように、第３の変形例では、自印刷ジョブの間に、他のコンピュータ３０からの印刷ジョブが行なわれている場合（Ｓ１０７：Ｙ）、すなわち、他人の印刷ジョブに係る印刷物が挟み込まれている場合には、プリンタドライバ部４１は、挟み込まれた印刷ジョブにより印刷された用紙の枚数を取得する（Ｓ１２３）。
【００６５】
プリンタ１０のステータス管理部１３では、印刷ジョブにより印刷された枚数を把握しているため、プリンタドライバ部４１は、プリンタ１０のステータス管理部１３に問い合わせることで、印刷枚数を取得することが可能である。
【００６６】
そして、印刷終了後の挟み込み警告メッセージの表示（Ｓ１０８）では、図１２に示すように、挟み込まれた用紙の枚数の情報を、挟み込みを警告する通知を行なう画面５８０に含めるようにしている。
【００６７】
このように、第３の変形例によれば、間に挟み込まれた他人の印刷物を誤って回収することを防止することができるのに加え、他人の印刷物を何枚挟み込んでいるかを知ることができる。
【図面の簡単な説明】
【００６８】
【図１】印刷システムのハードウェア構成を示すブロック図である。
【図２】印刷システムの機能構成を示すブロック図である。
【図３】本発明の実施例について説明するフロー図である。
【図４】印刷設定画面の一例を示す図である
【図５】挟み込みを警告する画面を示す図である。
【図６】印刷終了を通知する画面を示す図である。
【図７】第１の変形例の相違点を示すフロー図である。
【図８】第１の変形例における挟み込みを警告する画面を示す図である。
【図９】第２の変形例の相違点を示すフロー図である。
【図１０】第２の変形例における挟み込まれを警告する画面を示す図である。
【図１１】第３の変形例の相違点を示すフロー図である。
【図１２】第３の変形例における挟み込みを警告する画面を示す図である。
【符号の説明】
【００６９】
１０…プリンタ、１１…Ｉ／Ｏ部、１２…印刷実行部、１３…ステータス管理部、１３…印刷実行部、２１…表示装置、２２…入力装置、３０…コンピュータ、３１…アプリケーション部、３３…ドキュメント、３４…オペレーティングシステム部、３５…印刷制御部、３６…Ｉ／Ｏ部、４１…プリンタドライバ部、４２…スプーラ、４３…スプールファイル、４４…印刷データ作成部、４５…印刷条件管理部、４６…ユーザインタフェース制御部、４７…ステータスモニタ部、５０…コンピュータシステム、６０…コンピュータネットワーク、１１０…制御部、１２０…ネットワークインタフェース、１３０…印刷機構、３１０…制御部、３２０…入出力インタフェース、３３０…ネットワークインタフェース、３４０…メディアドライブ装置、３５０…補助記憶装置、５００…印刷設定画面
【図１】
2006126908.tif 000003
【図２】
2006126908.tif 000004
【図３】
2006126908.tif 000005
【図４】
2006126908.tif 000006
【図５】
2006126908.tif 000007
【図６】
2006126908.tif 000008
【図７】
2006126908.tif 000009
【図８】
2006126908.tif 000010
【図９】
2006126908.tif 000011
【図１０】
2006126908.tif 000012
【図１１】
2006126908.tif 000013
【図１２】
2006126908.tif 000014